(57)【要約】【課題】キャップと筆記具本体を連結して使用する筆記具において、複数の嵌合機能を有することにより、キャップと筆記具本体を強固に連結させ、安定して使用できる筆記具を提供する。【解決手段】筆記具本体３の後端側３５にキャップ２の先端側２４に複数の嵌合機能を設けて連結可能にした筆記具。【選択図】図１
2004299275.tif 000002
【特許請求の範囲】
【請求項１】
前端側にペン先を有する筆記具本体と、このペン先を覆うようにして前記筆記具本体の前端側に着脱可能に装着されるキャップとを具備してなる筆記具であって、
前記キャップを前記筆記具本体の後端側に複数の嵌合部を介して着脱可能に装着し得るようにしたことを特徴とする筆記具。
【請求項２】
複数の嵌合部を、キャップ及び筆記具本体に軸心を一致させて同心状に配置していることを特徴とする請求項１に記載の筆記具。
【請求項３】
ペン先に触れることのないキャップの先端側と筆記具本体の後端側との間に、前記嵌合部を設けていることを特徴とする請求項１又は２記載の筆記具。
【請求項４】
キャップの先端側に、筒状をなす外周側壁と、この外周側壁の軸心部分に位置する凸形状部とを配するとともに、筆記具本体の後端側に、前記外周側壁を帽嵌し得る突起部と、この突起部の軸心部分に開口する凹形状部とを設けておき、
キャップにおける前記外周側壁と、筆記具本体における前記突起部とによって第１の嵌合部を構成するとともに、キャップにおける前記凸形状部と、筆記具本体における前記凹形状部とによって第２の嵌合部を構成していることを特徴とする請求項１から３のいずれかに記載の筆記具。
【請求項５】
キャップの先端側に配された凸形状部の先端が、キャップの先端面より突出しないことを特徴とする請求項４記載の筆記具。
【発明の詳細な説明】
【０００１】
【発明の属する技術分野】
本発明は、ペン先を覆うキャップを使用時に取り外して筆記具本体の後端側に装着することができるようにした筆記具に関するものである。
【０００２】
【従来の技術】
従来、この種の筆記具として、第１０図に示すように、筆記具本体の後端側に凹部を設け、キャップの先端側に配した凸部とを連結させるものが知られている。また、キャップそのものを筆記具本体の後端部に呑み込ませて、連結させるものも知られている（特許文献１参照）。
【０００３】
【特許文献１】
特開平８−１８３２９０号公報
【０００４】
【発明が解決しようとする課題】
近時、ホワイトボードの多様化が進展しており、例えば、間仕切壁の略全面あるいは固定壁の一定領域をホワイトボード化して会議やプレゼンテーションを効率的に行うことができるようにしたものが種々開発されている。このようなホワイトボードは、従来のものとは異なり、腰よりも低い領域にも筆記具を用いて書き込みを行うことができるようにしたものが少なくない。
【０００５】
このようなホワイトボードに書き込みを行う場合、高い領域に対しては筆記具を正規の持ち方、すなわち、鉛筆その他の筆記用具を持つ場合と同じ持ち方で把持して記入を行うことが多いが、低い領域に対して書き込みを行う場合には、いわゆる包み持ちといわれる態様で筆記具を扱う方が楽な姿勢で会議やプレゼンテーションなどを進めることが可能となる。
【０００６】
このような要望に応えるため、前端側にペン先を有する筆記具本体を短寸なものにして包み持ちを行うことができるようにした筆記具が開発されつつある。すなわち、この種の筆記具は、筆記具本体の後端を手の平に当接させた状態で該筆記具本体の略全体を全ての指で包み持ち、筆記具本体の前端近傍部に添えられた人差し指とペン先とがあたかも一体であるかのような感覚を与えつつ用いることができるようにしてある。しかして、このような筆記具を正規の持ち方で使用する場合には、ペン先側から取り外したキャップを筆記具本体の後端側に装着し、全体を適度な長さにする必要がある。
【０００７】
ところが、このような構成のものでは、正規の持ち方で筆記を行う際に、筆記具本体の後端側に装着されたキャップの外周が親指と人差し指の付け根部分に押し当てられることになる。そのため、筆記動作に力が入ると、筆記具本体の後端部とキャップとの連結部分に大きな曲げ力が作用することになり、キャップが外れやすいという問題が発生する。
【０００８】
このような不具合は、例えば、筆記具本体とキャップとの嵌合深さを大きくすることによって解消できなくはない。しかし、全長が包み持ちを考慮して設定してある筆記具本体においては、その嵌合深さを大きく設定すると、インクなどを収納するスペースが不当に狭められてしまうという不具合を招く。
【０００９】
本発明は、このような事情に着目してなされたもので、インク容量などを低下させたり筆記具本体の全長を不当に長くしてしまうという不具合を招くことなしに、正規の持ち方で使用する際にキャップが外れやすいという不具合を解消することができる筆記具を提供することを主な目的としている。
【００１０】
【課題を解決するための手段】
そこで本発明は、前端側にペン先を有する筆記具本体と、このペン先を覆うようにして前記筆記具本体の前端側に着脱可能に装着されるキャップとを具備してなる筆記具であって、前記キャップを前記筆記具本体の後端側に複数の嵌合部を介して着脱可能に装着し得るように構成したものである。
【００１１】
このような構成によると、筆記具本体とキャップとの間に単一の嵌合部しか有しない従来のものに比べて、嵌合領域を無理なく広げることが可能となる。そのため、筆記具本体のインク収納領域などを狭めたり筆記具本体の不当な長尺化を招くことなしに、筆記具本体とキャップとの連結を強固にすることができ、軽快に安定して使用することができる。
【００１２】
また、前記筆記具において設けられた複数の嵌合部を、キャップ及び筆記具本体に軸心を一致させて同心状に配置しておけば、キャップと筆記具本体を嵌合させる際に嵌合位置が複数であっても、特に位置決め等を必要とすることなく、キャップと筆記具本体とを簡単かつ強固に嵌合連結することができる。
【００１３】
なお、ペン先に触れることのないキャップの先端側と筆記具本体の後端側との間に、前記嵌合部を設けておけば、連結する際には、いつもキャップの先端側と筆記具本体の後端側とを嵌合することになる。
【００１４】
このような構成によれば、包み持ちを行った場合などに手にインクが付着するという不具合を効果的に防止することができる。すなわち、ペン先をキャップに収納する際に、ペン先がキャップ後端側内側面を汚してしまうため、キャップの後端側を筆記具本体の後端側に連結可能にしておくと、キャップを筆記具後端側に嵌合することによって、筆記具後端側も汚してしまうことになるという不都合があるが、前述した本発明の構成によれば、かかる不具合を解消することができる。また、このような構成によれば、筆記具本体の前端側にキャップを装着している状態で、そのキャップの先端側に例えば同一構造をなす他の筆記具の筆記具本体後端側を連結することが可能となる。そのため、同じ構造をなす複数の筆記具をキャップを介して棒状に連結しておくことができることにもなる。
【００１５】
また、嵌合の向きを固定すれば、つまりキャップのどちらでも連結可能にするのではなく、キャップ先端側のみにしておけば、キャップ先端側と筆記具本体との間に複数の嵌合部を設けやすくなり、曲げ力に対して特に強度を発揮するより安定した嵌合状態を確保することができる。
【００１６】
更に、複数本の筆記具を連続して連結させて使用する際にも、常に筆記具の向きが揃った状態で連結されているため、筆記具の順番を組替えながら、取り替えながら使用する際にも便利で使いやすい。
【００１７】
次に、キャップの先端側に、筒状をなす外周側壁と、この外周側壁の軸心部分に位置する凸形状部とを配するとともに、筆記具本体の後端側に、前記外周側壁によって帽嵌し得る突起部と、この突起部の軸心部分に開口する凹形状部とを設けておき、キャップにおける前記外周側壁の内側と、筆記具本体における前記突起部の外周側とによって第１の嵌合部を構成するとともに、キャップにおける前記凸形状部と、筆記具本体における前記凹形状部とによって第２の嵌合部を構成すれば、特に位置決めを必要とすることもなく簡単にキャップと筆記具本体を嵌合連結することができ、且つ２ヶ所で引張り方向にも曲げ方向にも強固に連結できるため、どのような使用状況であろうとも、安定して使用することができる。
【００１８】
特に包み持ちができるような短い筆記具において、キャップを筆記具本体の後端側に嵌合して使用する際には、筆記具を握った際にキャップの外周が連結部分に手の力がかかることがあり、長手方向に作用する引き抜き力だけでなく、径方向に作用する曲げ力に対しても筆記具本体とキャップとの連結強度が必要となるが、この構成を利用すればいずれの方向に力がかかっても、安定して使用できるように設計することが容易になる。
【００１９】
これらに加え、キャップの先端側に配された凸形状部の先端が、キャップの先端面より突出しないように配設すれば、筆記具の外観から特に嵌合機能を有する部分を使用者に認識させることなく、当該機能を持たせることができ、すっきりとした外観を呈する筆記具の提供が可能となる。
【００２０】
【発明の実施の形態】
以下、本発明の一実施の形態について図面を参照して説明する。
【００２１】
図１は、本発明に係る筆記具の全体を示す斜視図であり、図２は、同筆記具のキャップを外した状態を示す斜視図である。図３は、同筆記具の正面図、図４は、同筆記具の前端側を示す側面図、図５は、同筆記具の後端側を示す側面図である。図６は、図３におけるＡ−Ａ部の横断面図、図７は、筆記具全体の縦断面図である。また図８は、筆記に際しキャップを筆記具本体の後端側に連結した状態を示す斜視図、図９は、正規の持ち方で同筆記具を実際に手で把持して筆記する状態を示す斜視図である。
【００２２】
筆記具１は、図１から図８に示すように、前端側にペン先３１を有する筆記具本体３と、前記ペン先３１を覆うようにして前記筆記具本体３の前端側に着脱可能に装着されるキャップ２とを備えており、正規の持ち方で筆記する際には、図８に示すように、キャップ２の先端側２４を筆記具本体３の後端側３５に嵌合連結して使用するものである。
【００２３】
この筆記具本体３の後端部とキャップ２の先端部との連結は、複数の嵌合部、すなわち、第１の嵌合部Ａと、第２の嵌合部Ｂとを介して行われるようになっており、これら第１、第２の嵌合部Ａ、Ｂは、その軸心を一致させて同心状に配置されている。
【００２４】
すなわち、当該筆記具１は、正規の持ち方で使用する場合においては、図８に示すように、ペン先３１に触れることのないキャップ２の先端側２４を筆記具本体３の後端側３５に、第１の嵌合部Ａと第２の嵌合部Ｂとを介して着脱可能に装着し得るようになっており、キャップ２の先端側２４と筆記具本体３の後端側３５とのみが連結可能になっていることが好ましい。
【００２５】
この構成によると、図示しないが、同一構造をなす２本以上の筆記具１を連結して使用する場合であっても、常に「キャップ、筆記具本体、キャップ、筆記具本体」の順番で、キャップの向きが固定されて連結されるため、筆記具を組替えながら、取り替えながら使用することが可能となる。
【００２６】
図４は、当該筆記具１をキャップ２の先端側２４からあらわした側面図であって、図５は当該筆記具１を後端側３５からあらわした側面図であるが、当該キャップ２は、その先端側２４に、筒状をなす外周側壁２１と、この外周側壁２１の軸心部分に位置する凸形状部２２とを配して成っている。筆記具本体３は、前端側にペン先３１を有するとともに後端側３５に突起部３２を有し、この突起部３２の軸心部分に凹形状部３３を設けている。
【００２７】
すなわち、筆記具本体３に、前記キャップ２の外周側壁２１を帽嵌し得る突起部３２と、この突起部３２の軸心部分に開口する凹形状部３３とを設けておき、前記キャップ２における前記外周側壁２１の内側２３と、前記筆記具本体３における前記突起部３２の外周側３４とを嵌合することができるようにして第１の嵌合部Ａを構成するとともに、キャップにおける前記凸形状部２２と、筆記具本体３における前記凹形状部３３とを嵌合することができるようにして第２の嵌合部Ｂを構成している。このようにすれば、軸心を中心に複数の嵌合部Ａ、Ｂが配されることになる。そのため、特に位置決めを必要とすることなく、いかなる回転位相位置においても簡単にキャップ２と筆記具本体３とを連結することができる。
【００２８】
ここで、図２に示すように、キャップ２の外周側壁２３の内側に小突起２５を設け、筆記具本体３の突起部３２の外周側３４とより強固に嵌合できるようにしてもよい。
【００２９】
なお、前記キャップ２は、ペン先３１を気密に包囲するためのキャップ本体２０の外側に放射状のリブ２６を介して外周側壁２１を配したものであり、キャップ本体２０と外周側壁２１との間には、通気用の空間２７が形成されている。すなわち、このキャップ２は、幼児などが誤って飲み込んで気管に詰まらせたような場合でも、通気性を確保することができるようにした安全対策構造をなしている。そして、凸形状部２２は、前記キャップ本体２０の先端部分を利用して構成されている。つまり、第１の嵌合部Ａと第２の嵌合部Ｂは、それぞれかかる安全対策を施したキャップ２の外周側壁２１及びキャップ本体２０を利用して構成したものである。
【００３０】
図３では、前記キャップ２の先端側に配された凸形状部２２の先端が、キャップ２の先端面より突出していないことも示しており、複数の嵌合機能を有していても、これら嵌合機能部分を外観に露出させることなく、筆記具１の外観を損なうことなく、機能的且つシンプルな形状であることをあらわしている。また、このようにしておけば、外周側壁２１の先端面を水平面上に載置して筆記具１を起立させることも可能となる。
【００３１】
更に図９においては、当該筆記具１の使用時の状態をあらわしている図であるが、例示しているような長さが短い筆記具１においては、キャップ２を筆記具本体３の後端側に連結して使用すると、キャップ２の外周が親指と人差し指の付け根に当接される。本実施形態では、筆記具１全体が緩やかなカーブ形状を成している。具体的には、キャップ２が鼓形状をなすとともに筆記具本体３が鼓（つづみ）形状をなし、両者の外面が円滑に連続するようにしてある。この形状によると、使用時に手とフィットするため、書きやすく描きやすい形状となっている。
【００３２】
もちろん、先に記したように筆記具本体３とキャップ２との嵌合連結が簡単且つ強固にされるために、前記のようなカーブ形状をなしている場合においても、安定した使用が担保される。
【００３３】
なお、以上の実施例では、嵌合部を２つ設けた場合について説明したが、３つ以上の嵌合部を設けてもよいのはもちろんである。
【００３４】
また、例えば、筆記具本体の後端側に、環状の溝を設けるとともにその内側軸心部に凹形状部を設け、キャップに、前記溝に相応する環状壁をなす突起部と凸形状部とを設け、筆記具本体後端側に設けた環状の溝とキャップに設けた環状壁をなす突起部とを嵌合させるようにして第１嵌合部を形成するとともに、筆記具本体の凹形状部とキャップの凸形状部とを嵌合させるようにして第２嵌合部を形成してもよい。
【００３５】
【発明の効果】
本発明は、以上説明したような構成で実施され、以下に記載されるような効果を得ることができる。
【００３６】
すなわち、本発明は、前端側にペン先を有する筆記具本体と、このペン先を覆うようにして前記筆記具本体の前端側に着脱可能に装着されるキャップとを具備してなる筆記具であって、前記キャップを前記筆記具本体の後端側に複数の嵌合部を介して着脱可能に装着し得るようにしたことを特徴とする筆記具であるから、先に挙げた先行文献や図示したものと比べ、筆記具本体とキャップとの連結を強固にすることができ、軽快に安定して使用することができる。すなわち、本発明の構成によれば、インク容量の減少を招いたり不当な長尺化を招来することなしに、筆記具本体の後端側にキャップを強固に装着することができる筆記具を提供できるものである。
【００３７】
この筆記具において、複数の嵌合部をキャップ及び筆記具本体に軸心を一致させて同心状に配置しておけば、キャップと筆記具本体を嵌合させる際に嵌合位置が複数であっても、特に位置決め等を必要とすることなく、キャップと筆記具本体とを簡単かつ強固に嵌合連結することができる。
【００３８】
更に、ペン先に触れることのないキャップの先端側と筆記具本体の後端側との間に嵌合部を設けておけば、ペン先のインクがキャップを介して筆記具本体の後端部に付着せられることがなくなる。そのため、包み持ちなどの態様で使用する際に手が汚れるなどの不都合もなくなり、そのような不安を持つことなく筆記具の使用ができるようになる。
【００３９】
また、第１の嵌合部と第２の嵌合部とを前述したような具体的なものにすれば、キャップに施した安全対策構造を巧みに利用して嵌合部を構成することができるため、合理的な設計が可能になり、構造の簡略化や製造の容易化を図ることが可能になる。
【００４０】
これらに加え、キャップの先端側に配された凸形状部の先端が、キャップの先端面より突出しないように配設することにより、外観上特に嵌合部分を使用者に認識させることなく、当該機能を持たせることができ、すっきりとした外観を成す筆記具の提供が可能となる。
【図面の簡単な説明】
【図１】本発明の一実施形態に係る筆記具の全体を示す斜視図
【図２】同実施形態に係る筆記具の筆記具本体からキャップを外した状態を示す斜視図
【図３】同実施形態に係る筆記具の正面図
【図４】同実施形態に係る筆記具のキャップ先端側から見た側面図
【図５】同実施形態に係る筆記具の後端側から見た側面図
【図６】図３におけるキャップのＡ−Ａ部の断面図
【図７】同実施形態に係る筆記具全体における断面図
【図８】同実施形態に係る筆記具を使用する（筆記する）際にキャップを筆記具本体の後端側に連結した状態を示す斜視図
【図９】同実施形態に係る実際に手で把持して使用している（筆記している）状態を示した斜視図
【図１０】従来例を示す参考斜視図
【符号の説明】
１…筆記具
２…キャップ
３…筆記具本体
２０…キャップ本体
２１…外周側壁
２２…凸形状部
２３…（外周壁の）内側
２４…キャップ先端側
２５…小突起
２６…リブ
２７…通気用の空間
３１…ペン先
３２…後端側突起部
３３…凹形状部
３４…（後端側突起部における）外周側
３５…筆記具本体後端側
【図１】
2004299275.tif 000003
【図２】
2004299275.tif 000004
【図３】
2004299275.tif 000005
【図４】
2004299275.tif 000006
【図５】
2004299275.tif 000007
【図６】
2004299275.tif 000008
【図７】
2004299275.tif 000009
【図８】
2004299275.tif 000010
【図９】
2004299275.tif 000011
【図１０】
2004299275.tif 000012